(57)【要約】【課題】  基地局を介した他の無線通信端末装置との通信が不可能な場合でも、他の無線通信端末装置と通信することが可能な無線通信端末装置を提供する。【解決手段】  端末装置の受信部１２に、他の端末装置から送信される第１周波数の上り信号を受信する第１受信系統３２と、基地局から送信される第２周波数の下り信号を受信する第２受信系統３３とを備える。第１受信系統３２で受信された上り信号の受信電界強度と、第２受信系統３３で受信された下り信号の受信電界強度とを切換制御部２９で比較して、受信電界強度の大きい方の信号を復号部３０に与えるようにスイッチ２８を切換えて、復号部３０で復号させる。このとき、上り信号の受信電界強度と、この上り信号が第１受信系統３２で受信された時刻から予め定める予測遅延時間、具体的には基地局における折返し中継に要する処理時間が経過した時刻における下り信号の受信電界強度とを比較させる。【選択図】図３
2010136050.tif 000002
【特許請求の範囲】
【請求項１】
複数の無線通信端末装置と、各無線通信端末装置と無線通信可能な基地局とを備える無線通信システムを構成する前記無線通信端末装置であって、
他の無線通信端末装置から送信される第１周波数の上り信号を受信する第１受信系統と、
前記基地局から送信される、前記第１周波数とは異なる第２周波数の下り信号を受信する第２受信系統と、
前記第１受信系統で受信される前記上り信号、または前記第２受信系統で受信される前記下り信号を復号する復号手段と、
前記第１受信系統で受信された前記上り信号の受信電界強度と、前記第２受信系統で受信された前記下り信号の受信電界強度とを比較して、前記上り信号および前記下り信号のうち受信電界強度の大きい信号を前記復号手段に与えて復号させる制御手段とを備え、
前記制御手段は、前記上り信号の受信電界強度と、前記第１受信系統が前記上り信号を受信した時刻から予め定める予測遅延時間が経過した時刻における前記下り信号の受信電界強度とを比較することを特徴とする無線通信端末装置。
【請求項２】
前記予測遅延時間は、前記他の無線通信端末装置から送信された前記上り信号が前記基地局に受信されてから、前記下り信号に変換されて送信されるまでに要する時間として予め定められることを特徴とする請求項１に記載の無線通信端末装置。
【請求項３】
前記第１受信系統は、前記予測遅延時間が経過するまでに受信した前記上り信号を記憶する記憶部を備えることを特徴とする請求項１または２に記載の無線通信端末装置。
【請求項４】
前記第１受信系統および前記第２受信系統は、受信する信号を切換可能に構成され、
前記制御手段は、
前記第１受信系統で受信された前記上り信号の受信電界強度が前記第２受信系統で受信された前記下り信号の受信電界強度よりも大きいと判断すると、前記第２受信系統で受信する信号を前記上り信号に切換えて、前記第１受信系統で受信された前記上り信号の受信電界強度と前記第２受信系統で受信された前記上り信号の受信電界強度とを比較して、前記第１受信系統で受信された前記上り信号および前記第２受信系統で受信された前記上り信号のうち受信電界強度の大きい信号を前記復号手段に与えて復号させ、
前記下り信号の受信電界強度が前記上り信号の受信電界強度よりも大きいと判断すると、前記第１受信系統で受信する信号を前記下り信号に切換えて、前記第１受信系統で受信された前記下り信号の受信電界強度と前記第２受信系統で受信された前記下り信号の受信電界強度とを比較して、前記第１受信系統で受信された前記下り信号および前記第２受信系統で受信された前記下り信号のうち受信電界強度の大きい信号を前記復号手段に与えて復号させることを特徴とする請求項１〜３のいずれか１つに記載の無線通信端末装置。
【発明の詳細な説明】
【技術分野】
【０００１】
本発明は、無線通信端末装置に関し、より詳細には、２周波シンプレックス方式による１対Ｎプレストーク通信を行う無線通信システムで好適に用いられる無線通信端末装置に関する。
【背景技術】
【０００２】
ＭＣＡ（Multi Channel Access）システムなどの業務用無線システムとして使用される無線通信システムでは、プレストークによって１対Ｎのグループ通信を行う。このような無線通信システムでは、無線通信端末装置（以下、単に「端末装置」という場合がある）から送信された信号を基地局によって受信し、受信した信号を別の周波数の信号に変換した後、他の端末装置に送信する。このようにして基地局が、無線通信システムを構成する一の端末装置から他の端末装置への通信を中継することによって、１対Ｎのグループ通信を実現している。
【０００３】
ここで、端末装置が信号を送信して、基地局が端末装置から送信された信号を受信する通信形態を「上り通信」といい、基地局が信号を送信して、端末装置が基地局から送信された信号を受信する通信形態を「下り通信」という。基地局で中継動作を行うために、上り通信と下り通信とでは、異なる周波数の信号が用いられている。この方式を、２周波シンプレックス方式という。
【０００４】
２周波シンプレックス方式の無線通信システムでは、端末装置は、基地局から送信される予め定める周波数の信号を受信するように構成されており、他の端末装置から送信される他の周波数の信号は受信しない。したがって、端末装置から送信される信号（以下「送信信号」という場合がある）が基地局に届いて中継されない限り、端末装置同士で通信することができず、たとえば通話対象の端末装置が近傍に存在していても通話をすることができないという問題がある。換言すれば、基地局の通信可能エリア外に存在する端末装置は、基地局を介さなければ他の端末装置と通信することができず、通信対象の端末装置が近傍に存在していても、その端末装置と通信することができない。
【０００５】
端末装置が、受信する周波数（以下「受信周波数」という場合がある）を他の端末装置から送信される送信信号の周波数に利用者が手動で切換えることが可能な機能を備えていれば、他の端末装置から送信される送信信号を受信することは可能である。このように受信周波数を他の端末装置からの送信信号の周波数に切換えた状態では、本来受信すべき基地局から送信される送信信号を受信することができず、１対Ｎのグループ通信に参加することができなくなるという問題がある。
【０００６】
前述の無線通信システムにおける問題と類似の問題を解決するための技術として、コードレス電話機の親機と子機との間の通信に関する技術が、特許文献１に記載されている。特許文献１に記載の無線通信装置は、２台の子機同士が通話をしている間に、相互の距離が離れて通話の品質維持が困難になったときに、子機が親機から送信される下り周波数の信号の受信を試み、子機同士が直接通信するよりも親機との通信状態が良好な場合には、親機を経由して子機同士の通話を継続するように周波数および通信経路を切換える。
【０００７】
【特許文献１】特開平１０−２３５１５号公報
【発明の開示】
【発明が解決しようとする課題】
【０００８】
前述のように、特許文献１に記載のコードレス電話機としての無線通信装置は、子機同士の直接通信と、親機を介した子機同士の通信とのうち、いずれか通信品質の良い経路に切換え可能に構成されている。この子機同士が直接通信する状態と、親機を経由して子機同士が通信する状態とを切換えるために、一連の経路切換えシーケンスが子機と親機との間で実行される。この切換えシーケンスが実行されている間は、音声通話が途切れてしまうという問題が生じる。
【０００９】
また、コードレス電話機における通信は１対１通信である。特許文献１に開示の技術を１対Ｎのグループ通信に適用する場合には、端末装置ごとに個別に前述の切換えシーケンスを実行することになり、シーケンスが完了するまでに長時間を要してしまう。これによって通話できない時間が長くなり、通話を開始するまでに長時間を要するという問題が生じる。
【００１０】
したがって、特許文献１に記載の技術を１対Ｎのグループ通信に適用することは困難であり、２周波シンプレックス方式による通信において、基地局の通信エリア外に存在する端末装置が、基地局を介して他の端末装置と通信できない場合でも、通信対象の端末装置が近傍に存在する場合に、その端末装置との通信を実現できる無線通信端末装置が要望されている。
【００１１】
本発明の目的は、基地局を介した他の無線通信端末装置との通信が不可能な場合でも、他の無線通信端末装置と通信することが可能な無線通信端末装置を提供することである。
【課題を解決するための手段】
【００１２】
本発明の無線通信端末装置は、複数の無線通信端末装置と、各無線通信端末装置と無線通信可能な基地局とを備える無線通信システムを構成する前記無線通信端末装置であって、他の無線通信端末装置から送信される第１周波数の上り信号を受信する第１受信系統と、前記基地局から送信される、前記第１周波数とは異なる第２周波数の下り信号を受信する第２受信系統と、前記第１受信系統で受信される前記上り信号、または前記第２受信系統で受信される前記下り信号を復号する復号手段と、前記第１受信系統で受信された前記上り信号の受信電界強度と、前記第２受信系統で受信された前記下り信号の受信電界強度とを比較して、前記上り信号および前記下り信号のうち受信電界強度の大きい信号を前記復号手段に与えて復号させる制御手段とを備え、前記制御手段は、前記上り信号の受信電界強度と、前記第１受信系統が前記上り信号を受信した時刻から予め定める予測遅延時間が経過した時刻における前記下り信号の受信電界強度とを比較することを特徴とする。
【発明の効果】
【００１３】
本発明の無線通信端末装置によれば、他の無線通信端末装置から送信される第１周波数の上り信号が第１受信系統によって受信され、基地局から送信される第２周波数の下り信号が第２受信系統によって受信される。この第１受信系統で受信された上り信号、または第２受信系統で受信された下り信号が復号手段によって復号される。
【００１４】
これによって、上り信号または下り信号で、他の無線通信端末装置と通信することができる。したがって無線通信端末装置は、基地局との通信が可能な範囲外に他の無線通信端末装置が存在して、基地局を介した他の無線通信端末装置との通信が不可能な場合でも、他の無線通信端末装置から送信される上り信号の到達範囲内に存在していれば、他の無線通信端末装置と通信することができる。
【００１５】
また上り信号と下り信号とは、制御手段によって受信電界強度が比較され、受信電界強度の大きい方が復号手段に与えられて復号される。このとき、上り信号の受信電界強度と、この上り信号が第１受信系統で受信された時刻から予測遅延時間が経過した時刻における下り信号の受信電界強度とが比較される。下り信号は、基地局を介して無線通信端末装置に到達するので、他の無線通信端末装置から直接到達する上り信号に比べて、遅延して無線通信端末装置に到達する。
【００１６】
前述のように上り信号の受信電界強度と、予測遅延時間が経過した時刻の下り信号の受信電界強度とを比較することによって、予測遅延時間を考慮しない場合に比べて、受信電界強度の大きい、すなわち受信状態の良い信号をより確実に選択することができる。これによって、基地局を介した通信および直接通信のうち、受信状態の良い方で、他の無線通信端末装置と通信することができる。たとえば他の無線通信端末装置が、基地局との通信が可能な範囲外から範囲内に移動して、基地局を介した他の無線通信端末装置との通信が可能になった場合、他の無線通信端末装置から送信される上り信号と基地局から送信される下り信号のうち、受信状態の良い信号を選択して復号手段で復号させることができるので、受信状態の良い経路で、他の無線通信端末装置と通信することができる。
【発明を実施するための最良の形態】
【００１７】
＜第１の実施の形態＞
図１は、本発明の第１の実施の形態の無線通信端末装置３を備える無線通信システム１の構成を模式的に示す図である。無線通信システム１は、図１に示すように、基地局２と、複数の無線通信端末装置（以下、単に「端末装置」という場合がある）３とを備えて構成される。本実施の形態では、無線通信システム１は、４つの端末装置３、具体的には第１端末装置３ａ、第２端末装置３ｂ、第３端末装置３ｃおよび第４端末装置３ｄを備える。以下の説明において、特定の端末装置を指す場合には、参照符号「３」に添え字「ａ」〜「ｄ」を付して示し、不特定の端末装置を指す場合には、参照符号「３」の添え字「ａ」〜「ｄ」を省略する。
【００１８】
無線通信システム１は、第１〜第４端末装置３ａ〜３ｄのグループ間で、２周波シンプレックス方式による１対Ｎプレストーク通信を行う。各端末装置３は、プレストークスイッチを備えており、プレストークスイッチが利用者によって押下されると、予め定める第１周波数Ｆａの信号（以下「上り信号」という場合がある）４を基地局２に向けて送信する。
【００１９】
基地局２は、各端末装置３と無線通信可能に構成される。基地局２は、端末装置３から送信された上り信号４を受信すると、受信した上り信号４を折返して、下り信号５として他の端末装置３に送信する中継を行う。このとき、基地局２は、自局の送信信号が受信部に回り込んでしまうことを回避するために、下り信号５の周波数を上り信号４とは別の周波数にする必要がある。したがって２周波シンプレックス方式が採られており、基地局２は、第１周波数Ｆａとは異なる周波数である、予め定める第２周波数Ｆｂの信号（以下「下り信号」という場合がある）を、下り信号５として送信する。
【００２０】
各端末装置３は、基地局２から送信される第２周波数Ｆｂの下り信号５を待受けて、受信するように構成される。つまり、各端末装置３は、第１周波数Ｆａの上り信号４を送信し、第２周波数Ｆｂの下り信号５を受信するように構成される。
【００２１】
ここで、第１〜第４端末装置３ａ〜３ｄのうち、第１〜第３端末装置３ａ〜３ｃが、基地局２との無線通信が可能な範囲（以下「サービスエリア」という場合がある）Ｒｂ内に存在し、残りの第４端末装置３ｄが、基地局２との無線通信が不可能な範囲、すなわちサービスエリアＲｂ外に存在する場合を想定する。
【００２２】
たとえば、第２端末装置３ｂの利用者が送話するときは、第２端末装置３ｂに予め設けられるプレストークスイッチを押下する。これによって、予め定める第１周波数Ｆａの上り信号４が第２端末装置３ｂから基地局２に向けて送信される。第２端末装置３ｂから送信された上り信号４は、基地局２によって受信される。
【００２３】
基地局２は、受信した上り信号４を復号して、第１周波数Ｆａとは異なる周波数である、予め定める第２周波数Ｆｂの下り信号５に変換して、下り信号５を、サービスエリアＲｂ内の第２端末装置３ｂ以外の端末装置、具体的には第１，第３端末装置３ａ，３ｃに送信する。図１では、図面が煩雑になることを避けるために、基地局２から第３端末装置３ｃに向かって送信される下り信号５は、記載を省略している。ここで、サービスエリアＲｂは、基地局２から送信された下り信号５が到達する範囲である。
【００２４】
サービスエリアＲｂ内の第１，第３端末装置３ａ，３ｃは、第２周波数Ｆｂの下り信号５を受信可能であるので、基地局２から第２周波数Ｆｂの下り信号５が送信されたときは、この下り信号５を受信して音声に復号する。これによって、第１，第３端末装置３ａ，３ｃの利用者は、第２端末装置３ｂの通話内容を聞くことができる。
【００２５】
第４端末装置３ｄは、サービスエリアＲｂ外に存在するので、基地局２から送信される下り信号５を受信することができない。したがって、第４端末装置３ｄの利用者は、基地局２を介した通信では、第２端末装置３ｂの通話内容を聞くことができない。
【００２６】
また第４端末装置３ｄの利用者が送話するとき、第４端末装置３ｄは、基地局２のサービスエリアＲｂ外に存在するので、第４端末装置３ｄから送信される上り信号６は、基地局２まで到達しない。したがって第４端末装置３ｄは、基地局２を介して他の端末装置３ａ〜３ｃと通信することはできないが、他の端末装置３ａ〜３ｃと緊急に連絡をとる必要が生じる場合などがある。
【００２７】
この場合、たとえば第４端末装置３ｄから送信された上り信号（以下「送信信号」という場合がある）７が到達する範囲Ｒｔ内に第３端末装置３ｃが存在していて、第３端末装置３ｃが第４端末装置３ｄから送信された送信信号７を受信することができれば、第３端末装置３ｃの利用者が第４端末装置４の通話内容を再度口頭で送話することによって、基地局２を介して、サービスエリアＲｂ内に存在する他の端末装置３ａ，３ｂに送信することが可能である。
【００２８】
前述のように第３端末装置３ｃが基地局２から送信される第２周波数Ｆｂの下り信号５を待受けている場合には、第３端末装置３ｃは、第４端末装置３ｄから送信された第１周波数Ｆａの送信信号７を受信することができない。したがって、第４端末装置３ｄから送信される送信信号７が到達する範囲Ｒｔに第３端末装置３ｃが存在していても、第４端末装置３ｄは、第３端末装置３ｃと互いに通信することができない。
【００２９】
たとえば、サービスエリアＲｂ内に存在する第３端末装置３ｃが、利用者によって手動で受信周波数を、下り信号の第２周波数Ｆｂから、上り信号の第１周波数Ｆａに切換えられれば、サービスエリアＲｂ外に存在する第４端末装置３ｄから送信される送信信号７を受信することが可能である。しかし、第３端末装置３ｃの利用者は、第４端末装置３ｄから送信される送信信号７の到達範囲Ｒｔ内に自装置が存在しているか否かを判断することができないので、どのようなタイミングで受信周波数を切換えればよいのかを決定することができないという問題がある。
【００３０】
また端末装置３に受信系統を２つ設けて、一方の受信系統で第１周波数Ｆａの信号を受信し、他方の受信系統で第２周波数Ｆｂの信号を受信するように構成すれば、他の端末装置３から送信される送信信号、および基地局２から送信される送信信号の両方の信号を受信することが可能となる。しかし、基地局２を介した通信では、基地局２が端末装置３からの上り信号４を受信し、下り信号５に変換して他の端末装置３に送信する中継処理を行うので、中継処理を行わずに端末装置３同士で直接に送受信される上り信号４に比べて、下り信号５は、必ず一定時間遅れて他の端末装置３に到達する。換言すると、端末装置３から他の端末装置３に直接に送信される上り信号４の方が、基地局２から送信される下り信号５よりも先に他の端末装置３に到達する。したがって、受信状態の良い信号を確実に選択することが難しいという問題がある。
【００３１】
このような問題を解消するために、本実施の形態の無線通信端末装置３は、図２および図３に示す構成を採用している。
【００３２】
図２は、本発明の第１の実施の形態の無線通信端末装置３の構成を示すブロック図である。無線通信端末装置３は、送信部１１、受信部１２、操作部１３および制御部１４を備えて構成される。送信部１１、受信部１２および操作部１３は、制御部１４にそれぞれ電気的に接続されている。無線通信端末装置３は、たとえば携帯電話機によって実現される。
【００３３】
送信部１１は、制御部１４から与えられる信号の圧縮、および予め定める通信方式に基づく信号の同期化をした後、波形整形してベースバンド信号を生成する。送信部１１は、生成したベースバンド信号を、デジタル／アナログ（略称：Ｄ／Ａ）変換処理によってアナログ信号に変換し、所定の変調方式に基づいて変調することによって送信信号を生成する。送信部１１は、生成した送信信号を、上り信号として、不図示の送信用アンテナを介して基地局２および他の無線通信端末装置３に送信する。
【００３４】
受信部１２は、詳細は後述するが、受信用アンテナで受信した電気信号を復調し、復調した電気信号をアナログ／デジタル（略称：Ｄ／Ａ）変換処理によってデジタル信号に変換し、圧縮されているデジタル信号の伸長処理などをする。受信部１２は、伸長処理などをした信号を復号して音声として出力する。
【００３５】
操作部１３は、操作者が操作する操作キーなどの複数の操作片を有する。操作部１３は、操作片として、たとえば、通話または電子メールの送受信を行うときに利用者によって操作される数字キーおよび文字キーを備えている。操作部１３は、各操作片である数字キーおよび文字キーなどが操作されることによって、数字情報、文字情報および無線通信端末装置３への指示情報など、操作に応じた情報を表す信号を生成して制御部１４に与える。したがって無線通信端末装置３の利用者は、操作部１３の各操作片を操作して、無線通信端末装置３に情報を与えることができる。
【００３６】
制御部１４は、たとえば中央演算処理装置（Central Processing Unit；略称：ＣＰＵ）を含んで実現され、その内部に記憶される制御プログラムに基づいて、送信部１１、受信部１２および操作部１３を統括的に制御する。
【００３７】
図３は、無線通信端末装置３の受信部１２の構成を示すブロック図である。受信部１２は、第１受信アンテナ２１、第１ＲＦ（Radio Frequency）部２２、第１復調部２３、メモリ部２４、第２受信アンテナ２５、第２ＲＦ部２６、第２復調部２７、スイッチ２８、切換制御部２９、復号部３０およびスピーカ３１を備えて構成される。第１および第２受信アンテナ２１，２５は、前述の受信用アンテナである。切換制御部２９および前述の図２に示す制御部１４は、制御手段に相当する。復号部３０は、復号手段に相当する。メモリ部２４は、記憶部に相当する。
【００３８】
受信部１２では、第１受信アンテナ２１、第１ＲＦ部２２、第１復調部２３およびメモリ部２４によって、第１受信系統３２が構成され、第２受信アンテナ２５、第２ＲＦ部２６および第２復調部２７によって、第２受信系統３３が構成される。
【００３９】
第１受信アンテナ２１は、無線通信システム１を構成する他の無線通信端末装置３から送信される高周波の信号を捕捉して、第１ＲＦ部２２に与える。第１ＲＦ部２２には、第１受信アンテナ２１から与えられる高周波の信号のうち、受信するべき信号の周波数（以下「受信周波数」という場合がある）が予め設定されている。第１ＲＦ部２２は、第１受信アンテナ２１から与えられる高周波の信号から、予め設定された受信周波数である第１周波数Ｆａの上り信号を抽出し、ベースバンド信号に変換する。第１ＲＦ部２２は、ベースバンド信号を第１復調部２３に与える。第１ＲＦ部２２は、後述する切換制御部２９から与えられる受信周波数の設定を変更する指示に従って受信周波数を適宜変更可能に構成されている。
【００４０】
第１復調部２３は、第１ＲＦ部２２から与えられるベースバンド信号に基づいて、受信した上り信号を復調する。第１復調部２３は、復調した信号（以下「復調信号」という場合がある）をメモリ部２４に与える。また第１復調部２３は、所定の時刻ｔにおいて第１受信アンテナ２１を介して受信した上り信号の受信電界強度（以下「上り受信電界強度」という場合がある）Ｅｕを測定し、その測定結果を後述する切換制御部２９に与える。
【００４１】
メモリ部２４は、第１復調部２３から与えられた復調信号を、予め定める予測遅延時間τが経過するまで記憶する。メモリ部２４は、予測遅延時間τが経過すると、記憶した復調信号を後述するスイッチ２８に与える。本実施の形態では、予測遅延時間τは、基地局２における折返し中継に要する処理時間、すなわち他の端末装置３から送信された上り信号が基地局２に受信されてから、下り信号に変換されて送信されるまでに要する時間として、予め定められる。このようにして第１受信系統３２は、他の端末装置３から送信される第１周波数Ｆａの上り信号を受信する。
【００４２】
第２受信アンテナ２５は、無線通信システム１を構成する基地局２から送信される高周波の信号を捕捉して、第２ＲＦ部２６に与える。第２ＲＦ部２６には、第２受信アンテナ２５から与えられる高周波の信号のうち、受信するべき信号の受信周波数が予め設定されている。第２ＲＦ部２６は、第２受信アンテナ２５から与えられる高周波の信号から、予め設定された受信周波数である第２周波数Ｆｂの下り信号を抽出し、ベースバンド信号に変換する。第２ＲＦ部２６は、ベースバンド信号を第２復調部２７に与える。第２ＲＦ部２６は、後述する切換制御部２９から与えられる受信周波数の設定を変更する指示に従って受信周波数を適宜変更可能に構成されている。
【００４３】
第２復調部２７は、第２ＲＦ部２６から与えられるベースバンド信号に基づいて、受信した下り信号を復調する。第２復調部２７は、復調信号をスイッチ２８に与える。また第２復調部２７は、第１受信系統３２が上り信号を受信した時刻ｔから前述の予測遅延時間τが経過した時刻ｔ＋τにおいて、第２受信アンテナ２５を介して受信した下り信号の受信電界強度（以下「下り受信電界強度」という場合がある）Ｅｄを測定し、その測定結果を後述する切換制御部２９に与える。このようにして第２受信系統３３は、基地局２から送信される第２周波数Ｆｂの下り信号を受信する。
【００４４】
スイッチ２８は、後述する切換制御部２９からの制御信号に従ってスイッチング態様を切換えて、メモリ部２４から与えられた復調信号、または第２復調部２７から与えられた復調信号を復号部３０に与える。
【００４５】
切換制御部２９は、上り信号および下り信号のうち少なくともいずれか一方を受信すると、第１復調部２３から与えられた時刻ｔにおける上り受信電界強度Ｅｕと、第２復調部２７から与えられた時刻ｔ＋τにおける下り受信電界強度Ｅｄとを比較して、上り受信電界強度Ｅｕと下り受信電界強度Ｅｄの大小関係を判断する。
【００４６】
切換制御部２９は、上り受信電界強度Ｅｕが下り受信電界強度Ｅｄよりも大きいと判断すると、スイッチ２８のスイッチング態様を、メモリ部２４の出力側に接続するように切換える指示を表す制御信号をスイッチ２８に与える。また切換制御部２９は、下り受信電界強度Ｅｄが上り受信電界強度Ｅｕ以上であると判断すると、スイッチ２８のスイッチング態様を、第２復調部２７の出力側に接続するように切換える指示を表す制御信号をスイッチ２８に与える。
【００４７】
復号部３０は、スイッチ２８から与えられたメモリ部２４からの復調信号、すなわち第１受信系統３２で受信された上り信号、または第２復調部２７からの復調信号、すなわち第２受信系統３３で受信された下り信号を、前述の図２に示す制御部１４からの指示に基づいて音声に復号してスピーカ３１に与える。スピーカ３１は、復号部３０から与えられる音声を出力する。
【００４８】
第１受信系統３２によって、他の無線通信端末装置３から送信される第１周波数Ｆａの上り信号を受信し、第２受信系統３３によって、基地局２から送信される第２周波数Ｆｂの下り信号を受信する動作をしている状態を、以下の説明では「通常受信動作状態」という。
【００４９】
図４は、本発明の第１の実施の形態における無線通信端末装置３の受信動作を説明するための図である。図４では、理解を容易にするために、図１に示す無線通信システム１を構成する端末装置のうち、サービスエリアＲｂ内の第３端末装置３ｃ、およびサービスエリアＲｂ外の端末装置３ｄのみを示している。
【００５０】
前述のように第３端末装置３ｃが基地局２のサービスエリアＲｂ内に存在し、第４端末装置３ｄがサービスエリアＲｂの外に存在する場合を想定する。第３端末装置３ｃは、第４端末装置３ｄの送信信号７の到達範囲Ｒｔ内に存在するものとする。この場合、第４端末装置３ｄが送信信号を送信したとき、第４端末装置３ｄから送信される第１周波数Ｆａの送信信号６，７は、第３端末装置３ｃには到達するが、基地局２には到達しない。このとき、第３端末装置３ｃの受信部１２は、以下のように動作する。
【００５１】
図５は、第３端末装置３ｃの受信部１２における切換制御部２９の動作の処理手順を示すフローチャートである。図５に示すフローチャートの切換制御部２９の処理は、第３端末装置３ｃに電力が供給されているときに、繰返し実行される。図５に示すフローチャートでは、第３端末装置３ｃの電源が投入されたときに本処理を開始し、ステップａ１に移行する。
【００５２】
ステップａ１では、切換制御部２９は、第１復調部２３を介して、時刻ｔにおける上り受信電界強度Ｅｕを取得して、ステップａ２に移行する。ステップａ２では、切換制御部２９は、第２復調部２７を介して、時刻ｔ＋τにおける下り受信電界強度Ｅｄを取得して、ステップａ３に移行する。
【００５３】
ステップａ３では、切換制御部２９は、ステップａ１で取得した上り受信電界強度Ｅｕ、およびステップａ２で取得した下り受信電界強度Ｅｄのうち少なくともいずれか一方が、予め定める受信閾値Ｌ以上であるか否かを判断する。ステップａ３において、上り受信電界強度Ｅｕおよび下り受信電界強度Ｅｄのうち少なくともいずれか一方が、受信閾値Ｌ以上であると判断した場合は、受信した信号（以下「受信信号」という場合がある）があると判断してステップａ４に移行し、受信閾値Ｌ未満であると判断した場合は、受信信号が無いと判断してステップａ１に戻り、前述と同様の処理を行う。ここで、受信信号があると判断されることは、上り信号および下り信号のうち少なくともいずれか一方を受信したことを意味する。
【００５４】
ステップａ４では、切換制御部２９は、ステップａ１で取得した上り受信電界強度Ｅｕと、ステップａ２で取得した下り受信電界強度Ｅｄとを比較して、上り受信電界強度Ｅｕが下り受信電界強度Ｅｄよりも大きいか否かを判断する。ステップａ４において、上り受信電界強度Ｅｕが下り受信電界強度Ｅｄよりも大きい（Ｅｕ＞Ｅｄ）と判断した場合は、ステップａ５に移行し、上り受信電界強度Ｅｕが下り受信電界強度Ｅｄよりも大きくない、すなわち下り受信電界強度Ｅｄが上り受信電界強度Ｅｕ以上である（Ｅｕ≦Ｅｄ）と判断した場合は、ステップａ６に移行する。
【００５５】
ステップａ５では、切換制御部２９は、スイッチ２８のスイッチング態様を、メモリ部２４の出力側に接続するように切換える指示を表す制御信号をスイッチ２８に与える。これによってスイッチ２８のスイッチング態様が、メモリ部２４の出力側に接続されるように切換わり、受信電界強度の大きい方の信号である第１受信系統３２で受信された上り信号が復号部３０に与えられて復号される。ステップａ５の処理の終了後は、ステップａ１に戻り、前述と同様の処理を行う。
【００５６】
ステップａ６では、切換制御部２９は、スイッチ２８のスイッチング態様を、第２復調部２７の出力側に接続するように切換える指示を表す制御信号をスイッチ２８に与える。これによってスイッチ２８のスイッチング態様が、第２復調部２７の出力側に接続されるように切換わり、受信電界強度の大きい方の信号である第２受信系統３３で受信された下り信号が復号部３０に与えられて復号される。ステップａ６の処理の終了後は、ステップａ１に戻り、前述と同様の処理を行う。
【００５７】
以上のように本実施の形態の端末装置３によれば、他の端末装置３から送信される第１周波数の上り信号が第１受信系統３２によって受信され、基地局２から送信される第２周波数の下り信号が第２受信系統３３によって受信される。この第１受信系統３２で受信された上り信号、または第２受信系統３３で受信された下り信号が復号部３０に与えられ、復号部３０によって復号される。これによって端末装置３は、上り信号または下り信号で、他の端末装置３と通信することができる。
【００５８】
したがって端末装置３は、基地局２との通信が可能な範囲である基地局２のサービスエリアＲｂ外に他の端末装置３が存在して、基地局２を介した他の端末装置３との通信が不可能な場合でも、他の端末装置３から送信される上り信号の到達範囲内に存在していれば、他の端末装置３と通信することができる。
【００５９】
たとえば図４に示すように、基地局２のサービスエリアＲｂ外に第４端末装置３ｄが存在して、基地局２を介した第４端末装置３ｄとの通信が不可能な場合でも、第４端末装置３ｄの送信信号７の到達範囲Ｒｔ内に第３端末装置３ｃが存在していれば、第３端末装置３ｃは、第４端末装置３ｄと通信することができる。
【００６０】
また上り信号７と下り信号５とは、切換制御部２９によって受信電界強度が比較され、切換制御部２９の指示に基づいてスイッチ２８が切換えられて、上り信号７および下り信号５のうち、受信電界強度の大きい方が復号部３０に与えられて復号される。このとき、上り信号７の受信電界強度Ｅｕと、この上り信号７が第１受信系統３２で受信された時刻ｔから予測遅延時間τが経過した時刻ｔ＋τにおける下り信号５の受信電界強度Ｅｄとが比較される。他の端末装置３からの上り信号６が基地局２に到達して下り信号５として送信される場合、下り信号５は、基地局２を介して端末装置３に到達するので、他の端末装置３から直接到達する上り信号７に比べて、遅延して端末装置３に到達する。前述のように時刻ｔの上り信号７の受信電界強度Ｅｕと、上り信号７が受信された時刻ｔから予測遅延時間τが経過した時刻ｔ＋τの下り信号５の受信電界強度Ｅｄとを比較することによって、予測遅延時間τを考慮しない場合に比べて、受信電界強度の大きい、すなわち受信状態の良い信号をより確実に選択することができる。
【００６１】
これによって端末装置３は、基地局２を介した通信および直接通信のうち、受信状態の良い方で、他の端末装置３と通信することができる。たとえば図４において二点鎖線で示されるように、第４端末装置３ｄが基地局２のサービスエリアＲｂ外からサービスエリアＲｂ内に移動して、第４端末装置３ｄから送信される上り信号６が基地局２で受信できる状態に変化した場合を考える。この場合、第４端末装置３ｄから直接到達する上り信号７と基地局２から到達する下り信号５のうち、受信状態が良く、受信品質の良い信号を選択して復号部３０で音声に復号することができるので、受信状態の良い通信経路で、他の端末装置３と通信することができる。
【００６２】
このような端末装置３を備えることによって、基地局２のサービスエリアＲｂ外にいる端末装置３の送信信号も受信することができ、可及的に広い範囲で複数の端末装置３間の通信が可能な無線通信システム１を実現することができる。
【００６３】
また本実施の形態では、予測遅延時間は、基地局２における折返し中継に要する処理時間、すなわち他の端末装置３から送信された上り信号が基地局２に受信されてから、下り信号に変換されて送信されるまでに要する時間として、予め定められる。これによって、基地局２における折返し中継処理によって生じる遅延時間を補正して、上り信号および下り信号の受信状態の良否の判定を行うことができるので、受信状態の良い信号をより確実に選択することができる。
【００６４】
また本実施の形態では、第１受信系統３２は、メモリ部２４を備えており、このメモリ部２４によって、予測遅延時間τが経過するまでに受信した上り信号を記憶している。つまり第１受信系統３２は、上り信号および下り信号の受信状態の良否の判定処理の中で導入した予測遅延時間τの間に受信した上り信号をメモリ部２４に蓄積している。これによって、上り信号が選択されて復号部３０に与えられる場合に、判定処理が終了するまでの間に他の端末装置３から送信された通信内容を消失することなく、メモリ部２４から読み出して復号部３０で音声に復号させることができる。
【００６５】
したがって、復号部３０に与えられる信号として、他の端末装置３から送信される上り信号が選択された場合でも、通信の最初の部分、たとえば通話の最初の部分が途切れることを防止することができる。
【００６６】
以上に述べた本実施の形態では、切換制御部２９は、前述の図５に示すステップａ４において、下り受信電界強度Ｅｄが上り受信電界強度Ｅｕ以上である（Ｅｕ≦Ｅｄ）と判断すると、ステップａ６において、スイッチ２８を第２復調部２７の出力側に接続されるように切換えて、下り信号を復号部３０に与える。つまり切換制御部２９は、上り受信電界強度Ｅｕと下り受信電界強度Ｅｄとが等しいとき、下り信号を復号部３０に与えるように構成される。
【００６７】
切換制御部２９は、これに限定されず、上り受信電界強度Ｅｕと下り受信電界強度Ｅｄとが等しいとき、上り信号を復号部３０に与えるように構成されてもよい。この場合、前述の図５に示すステップａ４では、上り受信電界強度Ｅｕが下り受信電界強度Ｅｄ以上（Ｅｕ≧Ｅｄ）であるか否かが判断され、上り受信電界強度Ｅｕが下り受信電界強度Ｅｄ以上である（Ｅｕ≧Ｅｄ）と判断するとステップａ５に移行し、上り受信電界強度Ｅｕが下り受信電界強度Ｅｄ未満である（Ｅｕ＜Ｅｄ）と判断するとステップａ６に移行する。
【００６８】
＜第２の実施の形態＞
図６は、本発明の第２の実施の形態の無線通信端末装置の受信部１２Ａの構成を示すブロック図である。本実施の形態の無線通信端末装置は、第１の実施の形態の無線通信端末装置３と構成が類似しており、受信部の構成のみが異なっている。すなわち、本実施の形態の無線通信端末装置は、送信部１１、受信部１２Ａ、操作部１３および制御部１４を備えて構成される。また受信部１２Ａは、第１の実施の形態の無線通信端末装置３の受信部１２と構成が類似しているので、構成が異なる部分について説明し、対応する部分には同一の参照符を付して、共通する説明を省略する。
【００６９】
本実施の形態の受信部１２Ａは、第１受信アンテナ２１、第１ＲＦ部２２、第１復調部２３Ａ、第１メモリ部４１、第２受信アンテナ２５、第２ＲＦ部２６、第２復調部２７Ａ、第２メモリ部４３、第１スイッチ４２、第２スイッチ４４、第３スイッチ４５、切換制御部２９Ａ、復号部３０およびスピーカ３１を備えて構成される。切換制御部２９Ａおよび前述の図２に示す制御部１４は、制御手段に相当する。第１メモリ部４１および第２メモリ部４３は、記憶部に相当する。
【００７０】
本実施の形態の受信部１２Ａでは、第１受信アンテナ２１、第１ＲＦ部２２、第１復調部２３Ａおよび第１メモリ部４１によって、第１受信系統３２Ａが構成され、第２受信アンテナ２５、第２ＲＦ部２６、第２復調部２７Ａおよび第２メモリ部４３によって、第２受信系統３３Ａが構成される。
【００７１】
本実施の形態では、第１受信系統３２Ａおよび第２受信系統３３Ａは、受信する信号を切換可能に構成される。第１受信系統３２Ａが受信する信号は、切換制御部２９Ａが、受信周波数の設定を変更する指示を表す周波数切換信号を第１ＲＦ部２２に与えて、第１ＲＦ部２２に設定されている受信周波数を変更することによって切換えられる。同様に、第２受信系統３３Ａが受信する信号は、切換制御部２９Ａが、受信周波数の設定を変更する指示を表す周波数切換信号を第２ＲＦ部２６に与えて、第２ＲＦ部２６に設定されている受信周波数を変更することによって切換えられる。
【００７２】
通常受信動作状態では、第１の実施の形態と同様に、第１受信系統３２Ａは、第１周波数Ｆａの上り信号を受信するように設定され、第２受信系統３３Ａは、第２周波数Ｆｂの下り信号を受信するように設定される。後述するダイバーシティ受信動作状態では、第１受信系統３２Ａおよび第２受信系統３３Ａは、同じ信号を受信するように設定される。たとえば、第１受信系統３２Ａが上り信号を受信するように設定される場合、第２受信系統３３Ａは、上り信号を受信するように設定が切換えられる。
【００７３】
第１復調部２３Ａは、第１ＲＦ部２２から与えられるベースバンド信号に基づいて、受信した上り信号または下り信号を復調する。第１復調部２３Ａは、復調信号を第１メモリ部４１および第１スイッチ４２に与える。また第１復調部２３Ａは、受信した上り信号または下り信号の受信電界強度を測定し、その測定結果を後述する切換制御部２９Ａに与える。通常受信動作状態では、第１復調部２３Ａは、第１の実施の形態と同様に、時刻ｔにおける上り受信電界強度Ｅｕを測定し、その測定結果を後述する切換制御部２９Ａに与える。
【００７４】
第１メモリ部４１は、第１復調部２３Ａから与えられた復調信号を、基地局２における折返し中継に要する時間である、予め定める予測遅延時間τが経過するまで記憶する。第１メモリ部４１は、予測遅延時間τが経過すると、記憶した復調信号を後述する第１スイッチ４２に与える。
【００７５】
第２復調部２７Ａは、第２ＲＦ部２６から与えられるベースバンド信号に基づいて、受信した下り信号または上り信号を復調する。第２復調部２７Ａは、復調信号を第２メモリ部４３および第２スイッチ４４に与える。また第２復調部２７Ａは、受信した下り信号または上り信号の受信電界強度を測定し、その測定結果を後述する切換制御部２９Ａに与える。通常受信動作状態では、第２復調部２７Ａは、第１の実施の形態と同様に、第１受信系統３２が上り信号を受信した時刻ｔから前述の予測遅延時間τが経過した時刻ｔ＋τにおける下り受信電界強度Ｅｄを測定し、その測定結果を後述する切換制御部２９Ａに与える。
【００７６】
第２メモリ部４３は、第２復調部２７Ａから与えられた復調信号を、基地局２における折返し中継に要する時間である、予め定める予測遅延時間τが経過するまで記憶する。第２メモリ部４３は、予測遅延時間τが経過すると、記憶した復調信号を後述する第２スイッチ４４に与える。
【００７７】
第１スイッチ４２は、後述する切換制御部２９Ａから与えられる制御信号に従ってスイッチング態様を切換えて、第１メモリ部４１から与えられた復調信号、または第１復調部２３Ａから与えられた復調信号を第３スイッチ４５に与える。
【００７８】
第２スイッチ４４は、後述する切換制御部２９Ａから与えられる制御信号に従ってスイッチング態様を切換えて、第２メモリ部４３から与えられた復調信号、または第２復調部２７Ａから与えられた復調信号を第３スイッチ４５に与える。
【００７９】
第３スイッチ４５は、後述する切換制御部２９Ａから与えられる制御信号に従ってスイッチング態様を切換えて、第１スイッチ４２から与えられた復調信号、または第２スイッチ４４から与えられた復調信号を復号部３０に与える。
【００８０】
図７および図８は、本発明の第２の実施の形態における受信部１２Ａの切換制御部２９Ａの動作の処理手順を示すフローチャートである。図７および図８に示すフローチャートの切換制御部２９Ａの処理は、たとえば前述の図４に示すように第３端末装置３ｃが基地局２のサービスエリアＲｂ内に存在し、第４端末装置３ｄがサービスエリアＲｂ外に存在する場合に、第３端末装置３ｃにおいて実行される。
【００８１】
図７および図８に示すフローチャートの切換制御部２９Ａの処理は、第３端末装置３ｃに電力が供給されているときに、繰返し実行される。図７および図８に示すフローチャートでは、第３端末装置３ｃの電源が投入されたときに本処理を開始し、ステップｂ１に移行する。図７に示すフローチャートのステップｂ１〜ステップｂ４の各処理は、前述の図５に示すフローチャートのステップａ１〜ステップａ４の各処理と同一であるので、共通する説明を省略する。
【００８２】
本実施の形態では、ステップｂ４において、上り受信電界強度Ｅｕが下り受信電界強度Ｅｄよりも大きい（Ｅｕ＞Ｅｄ）と判断した場合は、ステップｂ５に移行し、下り受信電界強度Ｅｄが上り受信電界強度Ｅｕ以上である（Ｅｕ≦Ｅｄ）と判断した場合は、ステップｂ７に移行する。
【００８３】
ステップｂ５では、切換制御部２９Ａは、第２ＲＦ部２６に予め設定されている受信周波数、具体的には下り信号の周波数である第２周波数Ｆｂを、上り信号の周波数である第１周波数Ｆａに変更する指示を第２ＲＦ部２６に与える。これによって、第２ＲＦ部２６に設定されている受信周波数が第１周波数Ｆａに変更され、第２受信系統３３Ａで受信される信号が上り信号に切換えられる。ステップｂ５の処理の終了後は、ステップｂ６に移行する。
【００８４】
ステップｂ６では、切換制御部２９Ａは、第２スイッチ４４のスイッチング態様を、第２メモリ部４３の出力側に接続するように切換える指示を表す制御信号を第２スイッチ４４に与える。これによって第２スイッチ４４のスイッチング態様が、第２メモリ部４３の出力側に接続されるように切換わる。
【００８５】
このようにステップｂ５において、第２受信系統３３Ａで受信する信号を上り信号に切換え、ステップｂ６において、第２スイッチ４４を第２メモリ部４３の出力側に接続されるように切換えることによって、第１受信系統３２Ａおよび第２受信系統３３Ａの両方で、上り信号を受信する状態となる。このように第１受信系統３２Ａおよび第２受信系統３３Ａの両方で同じ信号を受信する動作をしている状態を「ダイバーシティ受信動作状態」という。ステップｂ６の処理の終了後は、図８に示すステップｂ９に移行する。
【００８６】
ステップｂ７では、切換制御部２９Ａは、第１ＲＦ部２２に予め設定されている受信周波数、具体的には上り信号の周波数である第１周波数Ｆａを、下り信号の周波数である第２周波数Ｆｂに変更する指示を第１ＲＦ部２２に与える。これによって、第１ＲＦ部２２に設定されている受信周波数が第２周波数Ｆｂに変更され、第１受信系統３２Ａで受信される信号が下り信号に切換えられる。ステップｂ７の処理の終了後は、ステップｂ８に移行する。
【００８７】
ステップｂ８では、切換制御部２９Ａは、第１スイッチ４２のスイッチング態様を、第１復調部２３Ａの出力側に接続するように切換える指示を表す制御信号を第１スイッチ４２に与える。これによって第１スイッチ４２のスイッチング態様が、第１復調部２３Ａの出力側に接続されるように切換わる。
【００８８】
このようにステップｂ７において第１受信系統３２Ａで受信する信号を下り信号に切換え、ステップｂ８において第１スイッチ４２を第１復調部２３Ａの出力側に接続されるように切換えることによって、第１受信系統３２Ａおよび第２受信系統３３Ａの両方で、下り信号を受信するダイバーシティ受信動作状態となる。ステップｂ８の処理の終了後は、図８に示すステップｂ９に移行する。
【００８９】
図８に示すステップｂ９では、切換制御部２９Ａは、第１復調部２３Ａを介して、第１受信系統３２Ａで受信された信号の受信電界強度（以下「第１受信電界強度」という場合がある）Ｅ１を取得して、ステップｂ１０に移行する。ステップｂ１０では、切換制御部２９Ａは、第２復調部２７Ａを介して、第２受信系統３３Ａで受信された信号の受信電界強度（以下「第２受信電界強度」という場合がある）Ｅ２を取得して、ステップｂ１１に移行する。
【００９０】
ステップｂ１１では、切換制御部２９Ａは、第１受信電界強度Ｅ１が第２受信電界強度Ｅ２よりも大きいか否かを判断する。ステップｂ１１において、第１受信電界強度Ｅ１が第２受信電界強度Ｅ２よりも大きい（Ｅ１＞Ｅ２）と判断した場合は、ステップｂ１２に移行し、第１受信電界強度Ｅ１が第２受信電界強度Ｅ２よりも大きくない、すなわち第２受信電界強度Ｅ２が第１受信電界強度Ｅ１以上である（Ｅ１≦Ｅ２）と判断した場合は、ステップｂ１３に移行する。
【００９１】
ステップｂ１２では、切換制御部２９Ａは、第３スイッチ４５のスイッチング態様を、第１スイッチ４２の出力側に接続するように切換える指示を表す制御信号を第３スイッチ４５に与える。これによって第３スイッチ４５のスイッチング態様が、第１スイッチ４２の出力側に接続されるように切換わり、受信電界強度の大きい方の信号である第１受信系統で受信された信号が復号部３０に与えられて復号される。ステップｂ１２の処理の終了後は、ステップｂ１４に移行する。
【００９２】
ステップｂ１３では、切換制御部２９Ａは、第３スイッチ４５のスイッチング態様を、第２スイッチ４４の出力側に接続するように切換える指示を表す制御信号を第３スイッチ４５に与える。これによって第３スイッチ４５のスイッチング態様が、第２スイッチ４４の出力側に接続されるように切換わり、受信電界強度の大きい方の信号である第２受信系統で受信された信号が復号部３０に与えられて復号される。ステップｂ１３の処理の終了後は、ステップｂ１４に移行する。
【００９３】
ステップｂ１４では、切換制御部２９Ａは、ステップｂ９で取得した第１受信電界強度Ｅ１およびステップｂ１０で取得した第２受信電界強度Ｅ２が共に、予め定める切換閾値Ｍ未満であるか否かを判断する。切換閾値Ｍは、受信閾値Ｌよりも大きい（Ｌ＜Ｍ）値に選ばれる。ステップｂ１４において、第１受信電界強度Ｅ１および第２受信電界強度Ｅ２が共に切換閾値Ｍ未満であると判断した場合は、ステップｂ１５に移行し、第１受信電界強度Ｅ１および第２受信電界強度Ｅ２の少なくともいずれか一方が切換閾値Ｍ未満でない、すなわち切換閾値Ｍ以上であると判断した場合は、ステップｂ９に戻り、前述と同様の処理を行う。
【００９４】
ステップｂ１５では、切換制御部２９Ａは、第１，第２ＲＦ部２２，２６に設定している受信周波数および第１，第２スイッチ４２，４４の接続状態を、通常受信動作状態の設定に戻す指示を、第１，第２ＲＦ部２２，２６および第１，第２スイッチ４２，４４に与える。これによって、第１，第２ＲＦ部２２，２６に設定される受信周波数および第１，第２スイッチ４２，４４の接続状態が、通常受信動作状態に戻される。
【００９５】
具体的には、前述のステップｂ４において上り受信電界強度Ｅｕが下り受信電界強度Ｅｄよりも大きいと判断されてステップｂ５に移行した場合は、第２ＲＦ部２６に設定される受信周波数が第２周波数Ｆｂに戻され、また第２スイッチ４４のスイッチング態様が、第２復調部２７Ａの出力側に接続されるように戻される。前述のステップｂ４において下り受信電界強度Ｅｄが上り受信電界強度Ｅｕ以上であると判断されてステップｂ７に移行した場合は、第１ＲＦ部２２に設定される受信周波数が第１周波数Ｆａに戻され、また第１スイッチ４２のスイッチング態様が、第１メモリ４１の出力側に接続されるように戻される。ステップｂ１５の処理の終了後は、図７に示すステップｂ１に戻り、前述と同様の処理を行う。
【００９６】
以上のように本実施の形態によれば、ステップｂ４において、第１受信系統３２Ａで受信された上り信号の受信電界強度である上り受信電界強度Ｅｕが、第２受信系統３３Ａで受信された下り信号の受信電界強度である下り受信電界強度Ｅｄよりも大きい（Ｅｕ＞Ｅｄ）と判断されると、ステップｂ５において、第２ＲＦ部３６に設定される受信周波数が第１周波数Ｆａに切換えられて、第２受信系統３３Ａで受信する信号が上り信号に切換えられる。つまり、第１受信系統３２Ａおよび第２受信系統３３Ａでダイバーシティ受信する信号として、上り信号が選択される。
【００９７】
この状態で、ステップｂ１１において、第１受信系統３２Ａで受信された信号の受信電界強度である第１受信電界強度Ｅ１と、第２受信系統３３Ａで受信された信号の受信電界強度である第２受信電界強度Ｅ２とが、切換制御部２９Ａによって比較される。そして、切換制御部２９Ａの指示に基づいて第３スイッチ４５が切換えられて、第１受信系統３２Ａで受信される上り信号、および第２受信系統３３Ａで受信される上り信号のうち、受信電界強度の大きい信号が復号部３０に与えられ、復号部３０によって音声に復号される。
【００９８】
またステップｂ４において、上り受信電界強度Ｅｕが下り受信電界強度Ｅｄ以下である（Ｅｕ≦Ｅｄ）と判断されると、ステップｂ７において、第１ＲＦ部２２に設定される受信周波数が第２周波数Ｆｂに切換えられて、第１受信系統３２Ａで受信する信号が下り信号に切換えられる。つまり、第１受信系統３２Ａおよび第２受信系統３３Ａでダイバーシティ受信する信号として、下り信号が選択される。
【００９９】
これ以降の動作は、上り信号が選択された場合と同様である。具体的には、ステップｂ１１において第１受信電界強度Ｅ１と第２受信電界強度Ｅ２とが切換制御部２９Ａによって比較され、第１受信系統３２Ａで受信される下り信号、および第２受信系統３３Ａで受信される下り信号のうち、受信電界強度の大きい信号が復号部３０に与えられ、復号部３０によって音声に復号される。
【０１００】
このように上り信号および下り信号のうち受信電界強度の大きい信号として選択した信号の周波数を第１ＲＦ部２２および第２ＲＦ部２３の両方に設定して、第１受信系統３２Ａおよび第２受信系統３３Ａで同じ信号を受信するようにすることによって、ダイバーシティ受信を実現することができる。これによって、受信状態の変動に対しても追従した良好な受信特性を得ることができる。
【０１０１】
また本実施の形態では、ダイバーシティ受信動作をしている状態で、第１受信電界強度Ｅ１および第２受信電界強度Ｅ２が共に切換閾値Ｍを下回ったときには、第１ＲＦ部２２および第２ＲＦ部２６に設定している受信周波数、ならびに第１スイッチ４２および第２スイッチ４４の接続状態が通常受信動作状態に戻される。これによって、上り信号および下り信号の双方を受信し、受信電界強度を比較する処理からやり直して、受信品質の良い信号を選択し直すことが可能となる。したがって、可及的に受信品質の良い信号で他の端末装置３と通信することが可能である。
【０１０２】
以上に述べた本実施の形態では、切換制御部２９Ａは、上り受信電界強度Ｅｕと下り受信電界強度Ｅｄとが等しい場合、下り信号を選択するように構成されるが、上り信号を選択するように構成されてもよい。また切換制御部２９Ａは、第１受信電界強度Ｅ１と第２受信電界強度Ｅ２とが等しい場合、第２受信系統３３Ａで受信される信号を選択するように構成されるが、第１受信系統３２Ａで受信される信号を選択するように構成されてもよい。
【図面の簡単な説明】
【０１０３】
【図１】本発明の第１の実施の形態の無線通信端末装置３を備える無線通信システム１の構成を模式的に示す図である。
【図２】本発明の第１の実施の形態の無線通信端末装置３の構成を示すブロック図である。
【図３】無線通信端末装置３の受信部１２の構成を示すブロック図である。
【図４】本発明の第１の実施の形態における無線通信端末装置３の受信動作を説明するための図である。
【図５】第３端末装置３ｃの受信部１２における切換制御部２９の動作の処理手順を示すフローチャートである。
【図６】本発明の第２の実施の形態の無線通信端末装置の受信部１２Ａの構成を示すブロック図である。
【図７】本発明の第２の実施の形態における受信部１２Ａの切換制御部２９Ａの動作の処理手順を示すフローチャートである。
【図８】本発明の第２の実施の形態における受信部１２Ａの切換制御部２９Ａの動作の処理手順を示すフローチャートである。
【符号の説明】
【０１０４】
１  無線通信システム、２  基地局、３  無線通信端末装置、３ａ〜３ｄ  第１〜第４無線通信端末装置、１１  送信部、１２，１２Ａ  受信部、１３  操作部、１４  制御部、２２  第１ＲＦ部、２３，２３Ａ  第１復調部、２４  メモリ部、２６  第２ＲＦ部、２７，２７Ａ  第２復調部、２８  スイッチ、２９，２９Ａ  切換制御部、３０  復号部、３２，３２Ａ  第１受信系統、３３，３３Ａ  第２受信系統、４１  第１メモリ部、４２  第１スイッチ、４３  第２メモリ部、４４  第２スイッチ、４５  第３スイッチ。
【図１】
2010136050.tif 000003
【図２】
2010136050.tif 000004
【図３】
2010136050.tif 000005
【図４】
2010136050.tif 000006
【図５】
2010136050.tif 000007
【図６】
2010136050.tif 000008
【図７】
2010136050.tif 000009
【図８】
2010136050.tif 000010